(57)【要約】【課題】建物の扉や窓に設けられている電気錠の施錠／解錠や、各種電気機器の電源のＯＮ／ＯＦＦを携帯電話等の携帯端末から遠隔操作で行えるようにする。【解決手段】セキュリティ管理装置１１は、携帯端末４と無線を介してアクセス可能とし、ホームネットワーク１７に接続するためのネットワーク接続手段１１ｆ，各ユーザの暗証番号を含むＩＤ情報１１ｃ１を記憶した記憶手段１１ｃ，受信手段１１ａ，判定手段１１ｂ，通知手段１１ｄ，監視手段１１ｅ，動作状態切替手段１１ｇを有する。セキュリティ管理装置１１は、携帯端末４からユーザの暗証番号を受信し、受信した暗証番号と記憶手段１１ｃにより記憶した暗証番号とを比較し、前記暗証番号が一致した場合、ホームネットワーク１７を介して接続されているエアコン１３，電気錠１５ｂ等の動作状態を携帯端末４に通知し、携帯端末４からの指示に応じてエアコン１３，電気錠１５ｂ等の動作状態を切り替える。【選択図】        図４
2005031984.tif 000002
【特許請求の範囲】
【請求項１】
扉及び／又は窓に設けられた電気錠が接続されているネットワークに接続するためのネットワーク接続手段を有するセキュリティ管理装置において、ユーザが使用する携帯端末と無線を介してアクセス可能とし、前記携帯端末からユーザ固有の暗証番号を含む問い合わせ信号を受信する受信手段と、ユーザそれぞれの暗証番号を含むＩＤ情報を記憶した記憶手段と、前記受信手段により受信した暗証番号と前記記憶手段により記憶した暗証番号とを比較し、比較した結果、前記暗証番号が一致した場合、前記ユーザをユーザ本人として判定する判定手段と、前記ネットワークを介して接続されている電気錠が施錠又は解錠されているか動作状態を監視する監視手段と、前記判定手段により前記ユーザがユーザ本人として判定された場合に前記監視している電気錠の動作状態を前記携帯端末に通知する通知手段とを有することを特徴とするセキュリティ管理装置。
【請求項２】
請求項１に記載のセキュリティ管理装置において、前記携帯端末からの指示情報に応じて、前記ネットワークを介して接続されている電気錠それぞれの動作状態を施錠又は解錠に切り替える動作状態切替手段を有することを特徴とするセキュリティ管理装置。
【請求項３】
請求項１又は２に記載のセキュリティ管理装置において、前記ネットワークを介して接続されている電気錠の動作状態を施錠又は解錠に切り替えた後に、前記通知手段は、切り替え完了した旨を前記携帯端末に通知することを特徴とするセキュリティ管理装置。
【請求項４】
請求項３に記載のセキュリティ管理装置において、前記通知手段は、前記ネットワークを介して接続されている電気錠の動作状態がユーザにより切り替えられた場合、切り替え完了した旨を、前記記憶手段にＩＤ情報が記憶されている他のユーザの携帯端末にも通知することを特徴とするセキュリティ管理装置。
【請求項５】
請求項１乃至４のいずれか１に記載のセキュリティ管理装置において、前記動作状態切替手段は、ユーザが外出する際、前記監視手段により監視する電気錠が設けられた扉及び／又は窓を、前記携帯端末からの指示情報に応じて一括して施錠し、ユーザが帰宅した際、前記施錠された扉及び／又は窓を、前記携帯端末からの指示情報に応じて選択的に解錠できるようにしたことを特徴とするセキュリティ管理装置。
【請求項６】
請求項１乃至５のいずれか１に記載のセキュリティ管理装置において、前記通知手段は、前記監視手段により監視する電気錠の中で解錠状態となっている電気錠が少なくとも１つ以上ある場合、その旨を通知するためのアラーム情報を併せて送信できるようにしたことを特徴とするセキュリティ管理装置。
【請求項７】
各種電気機器が接続されているネットワークに接続するためのネットワーク接続手段を有するセキュリティ管理装置において、ユーザが使用する携帯端末と無線を介してアクセス可能とし、前記携帯端末からユーザ固有の暗証番号を含む問い合わせ信号を受信する受信手段と、ユーザそれぞれの暗証番号を含む識別情報を記憶した記憶手段と、前記受信手段により受信した暗証番号と前記記憶手段により記憶した暗証番号とを比較し、比較した結果、前記暗証番号が一致した場合、前記ユーザをユーザ本人として判定する判定手段と、前記ネットワークを介して接続されている電気機器が作動又は停止されているか動作状態を監視する監視手段と、前記判定手段により前記ユーザがユーザ本人として判定された場合に前記監視している電気機器の動作状態を前記携帯端末に通知する通知手段とを有することを特徴とするセキュリティ管理装置。
【請求項８】
請求項７に記載のセキュリティ管理装置において、前記携帯端末からの指示情報に応じて、前記ネットワークを介して接続されている電気機器それぞれの動作状態を作動又は停止に切り替える動作状態切替手段を有することを特徴とするセキュリティ管理装置。
【請求項９】
請求項７又は８に記載のセキュリティ管理装置において、前記ネットワークを介して接続されている電気機器の動作状態を作動又は停止に切り替えた後に、前記通知手段は、切り替え完了した旨を前記携帯端末に通知することを特徴とするセキュリティ管理装置。
【請求項１０】
請求項９に記載のセキュリティ管理装置において、前記通知手段は、前記ネットワークを介して接続されている電気機器の動作状態がユーザにより切り替えられた場合、切り替え完了した旨を、前記記憶手段にＩＤ情報が記憶されている他のユーザの携帯端末にも通知することを特徴とするセキュリティ管理装置。
【請求項１１】
請求項７乃至１０のいずれか１に記載のセキュリティ管理装置において、前記通知手段は、前記監視手段により監視する電気機器の中で作動状態となっている電気機器が少なくとも１つ以上ある場合、その旨を通知するためのアラーム情報を併せて送信できるようにしたことを特徴とするセキュリティ管理装置。
【請求項１２】
請求項１乃至１１のいずれか１に記載のセキュリティ管理装置において、建物内の様子を監視するための監視カメラと接続可能とし、前記携帯端末からの指示情報に応じて、前記監視カメラを利用して前記建物内の様子を撮影する監視カメラモードに切り替える監視カメラモード切替手段と、監視カメラモードに切り替えられた場合、前記監視カメラにより撮影される画像データ又は動画像データを前記携帯端末に送信する画像データ送信手段とを有することを特徴とするセキュリティ管理装置。
【請求項１３】
扉及び／又は窓に設けられた電気錠が接続されているネットワークに接続するためのネットワーク接続手段を有するセキュリティ管理装置と、各ユーザ宅のセキュリティを管理する管理センタ側のサーバ装置とがネットワークを介して接続されたセキュリティ管理システムにおいて、前記セキュリティ管理装置は、ユーザが使用する携帯端末と無線を介してアクセス可能とし、前記携帯端末からユーザ固有の暗証番号を含む問い合わせ信号を受信する受信手段と、ユーザそれぞれの暗証番号を含むＩＤ情報を記憶した記憶手段と、前記受信手段により受信した暗証番号と前記記憶手段により記憶した暗証番号とを比較し、比較した結果、前記暗証番号が一致した場合、前記ユーザをユーザ本人として判定する判定手段と、前記ネットワークを介して接続されている電気錠が施錠又は解錠されているか動作状態を監視する監視手段と、前記判定手段により前記ユーザがユーザ本人として判定された場合に前記監視している電気錠の動作状態を前記携帯端末に通知する通知手段とを有することを特徴とするセキュリティ管理システム。
【請求項１４】
各種電気機器が接続されているネットワークに接続するためのネットワーク接続手段を有するセキュリティ管理装置と、各ユーザ宅のセキュリティを管理する管理センタ側のサーバ装置とがネットワークを介して接続されたセキュリティ管理システムにおいて、前記セキュリティ管理装置は、ユーザが使用する携帯端末と無線を介してアクセス可能とし、前記携帯端末からユーザ固有の暗証番号を含む問い合わせ信号を受信する受信手段と、ユーザそれぞれの暗証番号を含む識別情報を記憶した記憶手段と、前記受信手段により受信した暗証番号と前記記憶手段により記憶した暗証番号とを比較し、比較した結果、前記暗証番号が一致した場合、前記ユーザをユーザ本人として判定する判定手段と、前記ネットワークを介して接続されている電気機器が作動又は停止されているか動作状態を監視する監視手段と、前記判定手段により前記ユーザがユーザ本人として判定された場合に前記監視している電気機器の動作状態を前記携帯端末に通知する通知手段とを有することを特徴とするセキュリティ管理システム。
【請求項１５】
請求項１３又は１４に記載のセキュリティ管理システムにおいて、前記セキュリティ管理装置は、前記監視手段により監視する電気錠又は電気機器の動作状態を前記携帯端末に送信すると共に、該電気錠又は電気機器の動作状態と、前記セキュリティ管理装置の識別情報とを前記サーバ装置に送信することを特徴とするセキュリティ管理システム。
【請求項１６】
請求項１３乃至１５のいずれか１に記載のセキュリティ管理システムにおいて、前記セキュリティ管理装置は、建物内の様子を監視するための監視カメラと接続可能とし、該監視カメラにより撮影される画像データ又は動画像データを前記携帯端末に送信すると共に、該画像データ又は動画像データと、前記セキュリティ管理装置の識別情報とを前記サーバ装置に送信することを特徴とするセキュリティ管理システム。
【請求項１７】
請求項１乃至１２のいずれか１に記載のセキュリティ管理装置としての機能を実行するためのプログラム。
【請求項１８】
請求項１３乃至１６のいずれか１に記載のセキュリティ管理システムとしての機能を実行するためのプログラム。
【請求項１９】
請求項１７又は１８に記載のプログラムを記録したコンピュータ読み取り可能な記録媒体。
【発明の詳細な説明】
【０００１】
【発明の属する技術分野】
本発明は、セキュリティ管理装置、システム、プログラム、及び記録媒体、より詳細には、扉や窓に設けられた電気錠の施錠／解錠や、電気機器の電源のＯＮ／ＯＦＦを遠隔操作で行うことができるセキュリティ管理装置、システム、プログラム、及び記録媒体に関する。
【０００２】
【従来の技術】
例えば、一戸建てや、居住用マンション等の建物から外に出た時に、扉や窓の施錠を忘れたり、電気機器のスイッチを消し忘れたりした場合、一旦戻ってから扉や窓の施錠、電気機器の電源のＯＮ／ＯＦＦを行う必要がある。例えば、建物から遠い場所でスイッチの消し忘れ等に気がついた場合、建物まで戻るのに時間がかかり、その間に侵入者があったり、事故等が起こる可能性がある。また、高齢者や、体に障害を持つ人が施錠したり、スイッチを切るために建物の中をわざわざ移動する必要があり負担が大きい。
【０００３】
上記のような問題を解決するために、各家庭に対する各種のセキュリティサービスがセキュリティ会社から提供されている。セキュリティ会社が提供するホームセキュリティサービスでは、セキュリティ会社と契約したユーザの自宅内に異常検知用の専用センサを設置しておき、当該専用センサで受信された情報はセキュリティ会社の管理センタで受信することができる。この管理センタで受信した情報に異常が認められた場合には、当該セキュリティ会社に所属する警備員等を現地に派遣して状況確認等の対応を行っていた。
【０００４】
しかしながら、上記のような場合に、警備員等を現地に派遣する必要があるため、費用がかかる。そこで、家庭内のセキュリティ管理を低コストに行うことができるセキュリティ管理装置が提案されている（例えば、特許文献１参照）。これは、各ユーザの自宅内においてホームネットワークで接続されたエアコン，照明器，冷蔵庫等の家庭用電気製品に内蔵されたセンサによって検知された情報、及び前記家庭用電気製品が作動されているか否かを示す情報を組み合わせた複数の情報に基づいて人の有無を判断し、この判断結果に応じて所定の通知情報を前記ユーザが所有する携帯電話機に通知するようにしたものである。
【０００５】
【特許文献１】
特開２００３−１６５５６号公報
【０００６】
【発明が解決しようとする課題】
しかしながら、上記特許文献１によると、建物内にある家庭用電気製品を外部から遠隔操作可能としているが、建物の扉や窓の施錠／解錠まで遠隔操作できるようには構成されていない。
【０００７】
本発明は上述のごとき実情に鑑みてなされたものであり、マンションや一戸建て等のセキュリティが要求される建物の扉や窓に設けられている電気錠の施錠／解錠を遠隔操作で行えるようにすると共に、各種電気機器の電源のＯＮ／ＯＦＦを携帯電話等の携帯端末から遠隔操作で行えるようにしたセキュリティ管理装置、システム、プログラム、及び記録媒体を提供すること、を目的としてなされたものである。
【０００８】
【課題を解決するための手段】
請求項１の発明は、扉及び／又は窓に設けられた電気錠が接続されているネットワークに接続するためのネットワーク接続手段を有するセキュリティ管理装置において、ユーザが使用する携帯端末と無線を介してアクセス可能とし、前記携帯端末からユーザ固有の暗証番号を含む問い合わせ信号を受信する受信手段と、ユーザそれぞれの暗証番号を含むＩＤ情報を記憶した記憶手段と、前記受信手段により受信した暗証番号と前記記憶手段により記憶した暗証番号とを比較し、比較した結果、前記暗証番号が一致した場合、前記ユーザをユーザ本人として判定する判定手段と、前記ネットワークを介して接続されている電気錠が施錠又は解錠されているか動作状態を監視する監視手段と、前記判定手段により前記ユーザがユーザ本人として判定された場合に前記監視している電気錠の動作状態を前記携帯端末に通知する通知手段とを有することを特徴としたものである。
【０００９】
請求項２の発明は、請求項１の発明において、前記携帯端末からの指示情報に応じて、前記ネットワークを介して接続されている電気錠それぞれの動作状態を施錠又は解錠に切り替える動作状態切替手段を有することを特徴としたものである。
【００１０】
請求項３の発明は、請求項１又は２の発明において、前記ネットワークを介して接続されている電気錠の動作状態を施錠又は解錠に切り替えた後に、前記通知手段は、切り替え完了した旨を前記携帯端末に通知することを特徴としたものである。
【００１１】
請求項４の発明は、請求項３の発明において、前記通知手段は、前記ネットワークを介して接続されている電気錠の動作状態がユーザにより切り替えられた場合、切り替え完了した旨を、前記記憶手段にＩＤ情報が記憶されている他のユーザの携帯端末にも通知することを特徴としたものである。
【００１２】
請求項５の発明は、請求項１乃至４のいずれか１の発明において、前記動作状態切替手段は、ユーザが外出する際、前記監視手段により監視する電気錠が設けられた扉及び／又は窓を、前記携帯端末からの指示情報に応じて一括して施錠し、ユーザが帰宅した際、前記施錠された扉及び／又は窓を、前記携帯端末からの指示情報に応じて選択的に解錠できるようにしたことを特徴としたものである。
【００１３】
請求項６の発明は、請求項１乃至５のいずれか１の発明において、前記通知手段は、前記監視手段により監視する電気錠の中で解錠状態となっている電気錠が少なくとも１つ以上ある場合、その旨を通知するためのアラーム情報を併せて送信できるようにしたことを特徴としたものである。
【００１４】
請求項７の発明は、各種電気機器が接続されているネットワークに接続するためのネットワーク接続手段を有するセキュリティ管理装置において、ユーザが使用する携帯端末と無線を介してアクセス可能とし、前記携帯端末からユーザ固有の暗証番号を含む問い合わせ信号を受信する受信手段と、ユーザそれぞれの暗証番号を含む識別情報を記憶した記憶手段と、前記受信手段により受信した暗証番号と前記記憶手段により記憶した暗証番号とを比較し、比較した結果、前記暗証番号が一致した場合、前記ユーザをユーザ本人として判定する判定手段と、前記ネットワークを介して接続されている電気機器が作動又は停止されているか動作状態を監視する監視手段と、前記判定手段により前記ユーザがユーザ本人として判定された場合に前記監視している電気機器の動作状態を前記携帯端末に通知する通知手段とを有することを特徴としたものである。
【００１５】
請求項８の発明は、請求項７の発明において、前記携帯端末からの指示情報に応じて、前記ネットワークを介して接続されている電気機器それぞれの動作状態を作動又は停止に切り替える動作状態切替手段を有することを特徴としたものである。
【００１６】
請求項９の発明は、請求項７又は８の発明において、前記ネットワークを介して接続されている電気機器の動作状態を作動又は停止に切り替えた後に、前記通知手段は、切り替え完了した旨を前記携帯端末に通知することを特徴としたものである。
【００１７】
請求項１０の発明は、請求項９の発明において、前記通知手段は、前記ネットワークを介して接続されている電気機器の動作状態がユーザにより切り替えられた場合、切り替え完了した旨を、前記記憶手段にＩＤ情報が記憶されている他のユーザの携帯端末にも通知することを特徴としたものである。
【００１８】
請求項１１の発明は、請求項７乃至１０のいずれか１の発明において、前記通知手段は、前記監視手段により監視する電気機器の中で作動状態となっている電気機器が少なくとも１つ以上ある場合、その旨を通知するためのアラーム情報を併せて送信できるようにしたことを特徴としたものである。
【００１９】
請求項１２の発明は、請求項１乃至１１のいずれか１の発明において、建物内の様子を監視するための監視カメラと接続可能とし、前記携帯端末からの指示情報に応じて、前記監視カメラを利用して前記建物内の様子を撮影する監視カメラモードに切り替える監視カメラモード切替手段と、監視カメラモードに切り替えられた場合、前記監視カメラにより撮影される画像データ又は動画像データを前記携帯端末に送信する画像データ送信手段とを有することを特徴としたものである。
【００２０】
請求項１３の発明は、扉及び／又は窓に設けられた電気錠が接続されているネットワークに接続するためのネットワーク接続手段を有するセキュリティ管理装置と、各ユーザ宅のセキュリティを管理する管理センタ側のサーバ装置とがネットワークを介して接続されたセキュリティ管理システムにおいて、前記セキュリティ管理装置は、ユーザが使用する携帯端末と無線を介してアクセス可能とし、前記携帯端末からユーザ固有の暗証番号を含む問い合わせ信号を受信する受信手段と、ユーザそれぞれの暗証番号を含むＩＤ情報を記憶した記憶手段と、前記受信手段により受信した暗証番号と前記記憶手段により記憶した暗証番号とを比較し、比較した結果、前記暗証番号が一致した場合、前記ユーザをユーザ本人として判定する判定手段と、前記ネットワークを介して接続されている電気錠が施錠又は解錠されているか動作状態を監視する監視手段と、前記判定手段により前記ユーザがユーザ本人として判定された場合に前記監視している電気錠の動作状態を前記携帯端末に通知する通知手段とを有することを特徴としたものである。
【００２１】
請求項１４の発明は、各種電気機器が接続されているネットワークに接続するためのネットワーク接続手段を有するセキュリティ管理装置と、各ユーザ宅のセキュリティを管理する管理センタ側のサーバ装置とがネットワークを介して接続されたセキュリティ管理システムにおいて、前記セキュリティ管理装置は、ユーザが使用する携帯端末と無線を介してアクセス可能とし、前記携帯端末からユーザ固有の暗証番号を含む問い合わせ信号を受信する受信手段と、ユーザそれぞれの暗証番号を含む識別情報を記憶した記憶手段と、前記受信手段により受信した暗証番号と前記記憶手段により記憶した暗証番号とを比較し、比較した結果、前記暗証番号が一致した場合、前記ユーザをユーザ本人として判定する判定手段と、前記ネットワークを介して接続されている電気機器が作動又は停止されているか動作状態を監視する監視手段と、前記判定手段により前記ユーザがユーザ本人として判定された場合に前記監視している電気機器の動作状態を前記携帯端末に通知する通知手段とを有することを特徴としたものである。
【００２２】
請求項１５の発明は、請求項１３又は１４の発明において、前記セキュリティ管理装置は、前記監視手段により監視する電気錠又は電気機器の動作状態を前記携帯端末に送信すると共に、該電気錠又は電気機器の動作状態と、前記セキュリティ管理装置の識別情報とを前記サーバ装置に送信することを特徴としたものである。
【００２３】
請求項１６の発明は、請求項１３乃至１５のいずれか１の発明において、前記セキュリティ管理装置は、建物内の様子を監視するための監視カメラと接続可能とし、該監視カメラにより撮影される画像データ又は動画像データを前記携帯端末に送信すると共に、該画像データ又は動画像データと、前記セキュリティ管理装置の識別情報とを前記サーバ装置に送信することを特徴としたものである。
【００２４】
請求項１７の発明は、請求項１乃至１２のいずれか１に記載のセキュリティ管理装置としての機能を実行するためのプログラムである。
【００２５】
請求項１８の発明は、請求項１３乃至１６のいずれか１に記載のセキュリティ管理システムとしての機能を実行するためのプログラムである。
【００２６】
請求項１９の発明は、請求項１７又は１８に記載のプログラムを記録したコンピュータ読み取り可能な記録媒体である。
【００２７】
【発明の実施の形態】
図１は、本発明の一実施形態に係わるセキュリティ管理システムの構成例を説明するための図で、図中、１はネットワーク、２は異なるプロトコルのネットワーク間を接続するためのＧＷ（ゲートウェイ）、３はＰＨＳ（ＰｅｒｓｏｎａｌＨａｎｄｙ−ｐｈｏｎｅ  Ｓｙｓｔｅｍ）又はＰＤＣ（Ｐｅｒｓｏｎａｌ  Ｄｉｇｉｔａｌ  Ｃｅｌｌｕｌａｒ）等の公衆回線網、４は携帯電話，ＰＨＳ，ＰＤＡ等の携帯端末、１０はユーザ宅である。ユーザ宅１０は、セキュリティ管理装置１１，ＧＷ（ゲートウェイ）１２，ホームネットワーク接続機能を備えたエアコンディショナー（以下、エアコンという）１３，照明器１４，ホームネットワーク接続機能を備えた電気錠を設けた玄関扉１５，東側窓１６を有している。ユーザ宅１０において、セキュリティ管理装置１１は、エアコン１３，照明器１４，玄関扉１５，東側窓１６とホームネットワーク１７を介して接続されると共に、ＧＷ１２を介してネットワーク１と接続されている。
【００２８】
ここで、ホームネットワーク１７は、例えば、電灯線や電話線等の有線を利用したものや、無線を利用したものなどを含むものとする。また、携帯端末４は、公衆回線網３に無線を介して接続され、公衆回線網３は、ＧＷ２を介してネットワーク１と接続される。尚、セキュリティ管理装置１１は、例えば、パーソナルコンピュータ（ＰＣ）を利用する形態や、ユーザ宅１０の固定電話機等を利用する形態としてもよい。いずれの形態においてもホームネットワーク１７に接続するためのネットワーク接続機能を備えているものとする。
【００２９】
また、ホームネットワーク１７に接続可能な電気機器は上記例に限らず、ホームネットワーク１７に接続する機能を備えたテレビジョン装置，ＶＴＲ装置などの家庭用電気機器全般を対象とすることができ、その種類も任意に組み合わせて接続することができる。また、ガスの元栓の開閉器等をホームネットワーク１７に接続するように構成してもよい。
【００３０】
図２は、本発明のセキュリティ管理装置１１の内部構成例を説明するためのブロック図で、セキュリティ管理装置１１は、受信手段１１ａ，判定手段１１ｂ，記憶手段１１ｃ，通知手段１１ｄ，監視手段１１ｅ，ネットワーク接続手段１１ｆを有している。また、本例の場合、エアコン１３はネットワーク接続手段１３ａを有し、照明器１４はネットワーク接続手段１４ａを有し、玄関扉１５はネットワーク接続手段１５ａ及びネットワーク接続手段１５ａに接続された電気錠１５ｂを有し、東側窓１６はネットワーク接続手段１６ａ及びネットワーク接続手段１６ａに接続された電気錠１６ｂを有している。
【００３１】
図２において、携帯端末４から送信された問い合わせ要求は、ＧＷ１２を介して受信手段１１ａにより受信される。上記問い合わせ要求には、ユーザ固有の暗証番号を含むものとする。この暗証番号としては、例えば、数字、アルファベット、記号文字等を用いることができ、数字なら数字の１種類による暗証番号や、数字とアルファベットもしくは記号文字等の２種類の組み合わせや、数字、アルファベット、記号文字の３種類の組み合わせによるものなどが設定可能であり、この設定した暗証番号を含むユーザ毎のＩＤ情報１１ｃ１を記憶手段１１ｃに予め登録させておく。このＩＤ情報１１ｃ１は、例えば、携帯電話番号，メールアドレス等を含むものとする。また、ユーザ宅１０に家族等の複数のユーザがいる場合、家族一人一人のＩＤ情報１１ｃ１を記憶手段１１ｃに予め登録しておくとよい。
【００３２】
判定手段１１ｂは、受信手段１１ａにより受信した暗証番号と、記憶手段１１ｃにより記憶した暗証番号とを比較し、比較した結果、暗証番号が一致した場合、ユーザをユーザ本人として判定する。
【００３３】
ここで、ホームネットワーク１７に電気錠１５ｂ，１６ｂが接続されている場合、監視手段１１ｅは、電気錠１５ｂ，１６ｂが施錠又は解錠されているか動作状態を監視する。通知手段１１ｄは、判定手段１１ｂによりユーザがユーザ本人として判定された場合に、監視手段１１ｅにより監視している電気錠１５ｂ，１６ｂの動作状態を携帯端末４に通知する。
また、ホームネットワーク１７にエアコン１３，照明器１４等の家電製品が接続されている場合、監視手段１１ｅは、エアコン１３，照明器１４が作動（電源ＯＮの状態）又は停止（電源ＯＦＦの状態）されているか動作状態を監視する。通知手段１１ｄは、判定手段１１ｂによりユーザがユーザ本人として判定された場合に、監視手段１１ｅにより監視しているエアコン１３，照明器１４の動作状態を携帯端末４に通知する。
【００３４】
本発明によると、ユーザは、携帯電話等の携帯端末を利用して自宅の扉や窓の施錠／解錠状態を知ることができると共に、エアコンや照明器等の電気機器が作動しているか停止しているかを簡単に知ることができる。
【００３５】
図３は、セキュリティ管理装置１１から通知された電気機器等の動作状態を携帯端末４に表示させた画面例を示す図で、図中、２０は携帯端末４の表示画面で、該表示画面２０には、各種電気機器の現在の動作状態２１，扉及び窓に設けられている電気錠の現在の動作状態２２を表示している。このように、ユーザは、ユーザ宅１０から離れた遠隔地において、携帯端末４を利用して、ユーザ宅１０内のエアコン１３や照明器１４等の家電製品の動作状態や、玄関扉１５や東側窓１６等の扉や窓に設けた電気錠１５ｂ，１６ｂの動作状態を知ることができる。
【００３６】
本例の場合、エアコン１３は作動している状態（すなわち、電源ＯＮの状態）、東側窓１６の電気錠は施錠されていない状態（すなわち、解錠状態）であることが分かる。従って、ユーザは、上記について動作状態の切り替え、すなわち、エアコン１３の動作状態を電源ＯＮ→ＯＦＦに、東側窓１６の電気錠の動作状態を開（解錠）→閉（施錠）にする必要がある。この場合、ユーザは切替指示ボタン２４を押下して動作状態の切り替え操作を携帯端末４から行う。また、全ての電気機器及び電気錠に問題がなければ、ＯＫボタン２３を選択する。
【００３７】
図４は、本発明のセキュリティ管理装置１１の他の内部構成例を説明するためのブロック図で、セキュリティ管理装置１１は、図２に示した各手段に加えて動作状態切替手段１１ｇを有している。この動作状態切替手段１１ｇは、ホームネットワーク１７に電気錠１５ｂ，１６ｂが接続されている場合、携帯端末４からの切替え要求（すなわち、図３に示した切替指示ボタン２４が押下され、施錠又は解錠に切り替え指示された場合）に応じて、電気錠それぞれの動作状態を施錠又は解錠に切り替える。また、ホームネットワーク１７にエアコン１３，照明器１４等の電気機器が接続されている場合、上記電気錠１５ｂ，１６ｂと同様に、携帯端末４からの切り替え要求に応じて、電気機器それぞれの動作状態を作動（電源ＯＮ）又は停止（電源ＯＦＦ）に切り替える。
【００３８】
本発明によると、ユーザは、携帯電話等の携帯端末を利用して自宅の扉や窓の施錠／解錠状態を知ることができると共に、エアコンや照明器等の電気機器が作動しているか停止しているかを簡単に知ることができ、さらに、電気錠のかけ忘れや、電気機器の電源の切り忘れがあった場合、携帯端末を利用して遠隔操作で施錠したり、電源を切ることができるため、事故や盗難等を防止することができる。また、高齢者や、体に障害を持つ人等にとっては、携帯端末を利用して電気機器等の遠隔操作をすることができるため、扉や窓の施錠や、電気機器の電源を切るといった行為を苦労なく容易に行うことができる。
【００３９】
ホームネットワーク１７を介して接続されている電気錠１５ｂ，１６ｂの動作状態を施錠又は解錠に切り替えた後に、通知手段１１ｄは、切り替え完了した旨を携帯端末４に通知する。この場合、通知手段１１ｄは、ホームネットワーク１７を介して接続されている電気錠１５ｂ，１６ｂの動作状態がユーザにより切り替えられた場合、切り替え完了した旨を、記憶手段１１ｃにＩＤ情報１１ｃ１が記憶されている他のユーザの携帯端末にも通知するようにしてもよい。
【００４０】
また、家電製品等の電気機器の場合も同様で、ホームネットワーク１７を介して接続されているエアコン１３，照明器１４の動作状態を作動又は停止に切り替えた後に、通知手段１１ｄは、切り替え完了した旨を携帯端末４に通知する。この場合、通知手段１１ｄは、ホームネットワーク１７を介して接続されているエアコン１３，照明器１４の動作状態がユーザにより切り替えられた場合、切り替え完了した旨を、記憶手段１１ｃにＩＤ情報１１ｃ１が記憶されている他のユーザの携帯端末にも通知するようにしてもよい。
【００４１】
本発明によると、扉及び窓に設けた電気錠や、家電製品等の電気機器の動作状態を切り替えた後に、切り替えが完了したことを携帯端末に通知するため、ユーザは、電気錠の施錠が実行されたことや、電気機器の電源が切られたことを容易に確認することができる。また、家族等の他のユーザに対しても同様の通知がされるため、他のユーザも、電気錠の施錠が実行されたことや、電気機器の電源が切られたことを容易に確認することができる。
【００４２】
また、動作状態切替手段１１ｇは、ユーザが外出する際、監視手段１１ｅにより監視する電気錠１５ｂを設けた玄関扉１５、電気錠１６ｂを設けた東側窓１６を、携帯端末４からの指示情報に応じて一括して施錠し、ユーザが帰宅した際、施錠された玄関扉１５，東側窓１６を、携帯端末４からの指示情報に応じて選択的に解錠するようにしてもよい。
【００４３】
本発明によると、ユーザが外出する際に、一括して電気錠が施錠されるため、鍵のかけ忘れがなくなる。また、帰宅した際には、例えば、出入する玄関扉のみを解錠することができるため、他の扉や窓を不必要に解錠することがなくセキュリティが向上する。
【００４４】
また、通知手段１１ｄは、監視手段１１ｅにより監視する電気錠、本例では、電気錠１５ｂ，１６ｂの中で解錠状態となっている電気錠が少なくとも１つ以上ある場合、その旨を通知するためのアラーム情報を併せて送信するようにしてもよい。同様に、通知手段１１ｄは、監視手段１１ｅにより監視する電気機器、本例では、エアコン１３，照明器１４の中で作動状態となっている電気機器が少なくとも１つ以上ある場合、その旨を通知するためのアラーム情報を併せて送信するようにしてもよい。
【００４５】
本発明によると、電気錠の施錠／解錠の状態や、電気機器の電源のＯＮ／ＯＦＦの状態を通知すると共に、アラーム情報を送信することができるため、ユーザは、解錠状態の電気錠や、電源ＯＮ状態の電気機器があることをアラーム情報から確実に認識することができる。
【００４６】
図５は、本発明の一実施形態に係わるセキュリティ管理システムの構成例を説明するための図で、本実施形態のセキュリティ管理システムは、図１に示したシステム構成に加えて、ユーザ宅１０内の様子を監視するための監視カメラ１８がホームネットワーク１７に接続されている。
図６は、本発明のセキュリティ管理装置１１の他の内部構成例を説明するためのブロック図で、セキュリティ管理装置１１は、図４に示した各手段に加えて、監視カメラモード切替手段１１ｈ，画像データ送信手段１１ｉを有している。本実施形態に示すセキュリティ管理装置１１は、監視カメラ１８とホームネットワーク１７を介して接続されている。監視カメラモード切替手段１１ｈは、携帯端末４からの指示情報に応じて、監視カメラ１８を利用してユーザ宅１０内の様子を撮影する監視カメラモードに切り替える。画像データ送信手段１１ｉは、監視カメラモードに切り替えられた場合に、監視カメラ１８により撮影される画像データ又は動画像データを携帯端末４に送信する。
【００４７】
本発明によると、監視カメラにより撮影される自宅内の画像データ又は動画像データを携帯端末で受信してリアルタイムに見ることができるため、ユーザは、何か異常があれば、例えば、警察や消防署といった関係機関にすぐに連絡することができる。
【００４８】
図７は、本発明の一実施形態に係わるセキュリティ管理システムの構成例を説明するための図で、図中、１９はユーザ宅１０内に設けられた火災，防犯等の各種センサ、３０は各ユーザ宅のセキュリティを管理する管理会社、３１は管理会社３０が有するサーバ装置、４０は消防署や警察等の関係機関である。本実施形態のセキュリティ管理システムは、図５に示したシステム構成に加えて、センサ１９がホームネットワーク１７に接続されている。また、セキュリティ管理装置１１は、ネットワーク１を介してサーバ装置３１と接続されている。
【００４９】
セキュリティ管理装置１１は、監視手段１１ｅにより監視する電気錠１５ｂ，１６ｂ，エアコン１３，照明器１４の動作状態を携帯端末４に送信すると共に、電気錠１５ｂ，１６ｂ，エアコン１３，照明器１４の動作状態及びセキュリティ管理装置１１の識別情報をサーバ装置３１に送信する。サーバ装置３１は、セキュリティ管理装置１１から送信された識別情報毎、すなわち、ユーザ宅毎に電気錠や電気機器等の動作状態を一括管理する。
【００５０】
本発明によると、扉や窓に設けられている電気錠の施錠／解錠状態や、電気機器の電源のＯＮ／ＯＦＦ状態をユーザの携帯端末だけでなく、セキュリティ管理会社のサーバ装置にも送信されるため、セキュリティ管理会社において常時、電気錠や電気機器の動作状態が管理され、より高いレベルのセキュリティシステムの提供が可能となる。
【００５１】
また、セキュリティ管理装置１１は、監視カメラ１８，センサ１９とホームネットワーク１７を介して接続されている。本実施形態の場合、セキュリティ管理装置１１は、監視カメラ１８により撮影される画像データ又は動画像データを携帯端末４に送信すると共に、その画像データ又は動画像データと、セキュリティ管理装置１１の識別情報とをサーバ装置３１に送信するようにしてもよい。また、センサ１９により異常（例えば、火災や侵入者等）が検知された場合、検知した情報を携帯端末４に送信すると共に、その検知情報と、セキュリティ管理装置１１の識別情報とをサーバ装置３１に送信するようにしてもよい。管理会社３０の業務担当者は、サーバ装置３１に送信された各種情報に基づいて緊急通報が必要かどうか判断し、必要があれば、消防署や警察等の関係機関４０に緊急通報を行う。
【００５２】
本発明によると、監視カメラや防犯センサ等が取得する情報が管理会社のサーバ装置に送信されるため、何か異常事態が発生した場合でも、管理会社から消防署や警察等の関係機関に緊急通報がなされるため、異常事態に対して迅速な対応が可能となる。
【００５３】
図８は、本発明が適用されるセキュリティ管理方法の一例を説明するためのフロー図である。本例は、図４に示した携帯端末４及びセキュリティ管理装置１１の構成に基づいて説明するものとする。
まず、携帯端末４は、ユーザから入力された暗証番号を含む問い合わせ要求をセキュリティ管理装置１１に送信し（ステップＳ１）、セキュリティ管理装置１１は、携帯端末４から送信された問い合わせ要求を受信し（ステップＳ２）、その中に含まれる暗証番号が記憶手段１１ｃに記憶している暗証番号と一致したかどうか判断し（ステップＳ３）、暗証番号が一致しない場合（ＮＯの場合）、携帯端末４にエラー通知し（ステップＳ４）、上記ステップＳ１に戻り、携帯端末４から処理を繰り返す。また、上記ステップＳ３において、暗証番号が一致した場合（ＹＥＳの場合）、セキュリティ管理装置１１は、監視手段１１ｅにより監視する電気機器，扉や窓の電気錠（以下、単に電気錠という）等の各動作状態を携帯端末４に通知する（ステップＳ５）。
【００５４】
次に、携帯端末４は、セキュリティ管理装置１１から通知された電気機器，電気錠の各動作状態を画面上に表示し（ステップＳ６）、動作状態の切り替えを行うかどうか（ユーザにより）判断し（ステップＳ７）、動作状態の切り替えを行う場合（ＹＥＳの場合）、画面上で指定した電気機器，電気錠の動作状態の切り替え要求をセキュリティ管理装置１１に送信する（ステップＳ８）。
【００５５】
次に、セキュリティ管理装置１１は、携帯端末４から送信された切り替え要求を受信し（ステップＳ９）、受信した切り替え要求により切り替え指示された電気機器，電気錠の動作状態を切り替えて（ステップＳ１０）、切り替え完了の旨を携帯端末４に通知する（ステップＳ１１）。
【００５６】
次に、携帯端末４は、セキュリティ管理装置１１から送信された切り替え完了通知を画面上に表示する（ステップＳ１２）。また、上記ステップＳ７において、動作状態の切り替えを行わない場合（ＮＯの場合）、そのまま終了する。
【００５７】
以上、本発明に係わるセキュリティ管理装置又はシステムにおける各機能を中心に各実施形態を説明してきたが、本発明は、セキュリティ管理装置又はシステムにおける各ステップを実行する方法としても説明したようにセキュリティ管理方法としての形態もとることができる。また、この各機能を有するセキュリティ管理装置又はシステムと同様に、コンピュータにセキュリティ管理装置又はシステムとして機能させるためのプログラムとしての形態も、また、そのプログラムを記録した記録媒体としての形態も可能である。
【００５８】
本発明によるセキュリティ管理機能を実現するためのプログラムやデータを記憶した記録媒体の実施形態について説明する。記録媒体としては、具体的には、ＣＤ―ＲＯＭ（―Ｒ／―ＲＷ）、光磁気ディスク、ＤＶＤ―ＲＯＭ、ＦＤ、フラッシュメモリ、メモリカードや、メモリスティック及びその他各種ＲＯＭやＲＡＭ等が想定でき、これら記録媒体に上述した本発明の各実施形態のシステムとしての機能をコンピュータに実行させ、セキュリティ管理機能を実現するためのプログラムを記録して流通させることにより、当該機能の実現を容易にする。そしてコンピュータ等の情報処理装置に上記のごとくの記録媒体を装着して情報処理装置によりプログラムを読み出すか、若しくは情報処理装置が備えている記憶装置に当該プログラムを記憶させておき、必要に応じて読み出すことにより、本発明に関わるセキュリティ管理機能を実行することができる。
【００５９】
【発明の効果】
本発明によると、マンションや一戸建て等のセキュリティが要求される建物の扉や窓に設けられている電気錠の施錠／解錠を遠隔操作で行えるようにすると共に、各種電気機器の電源のＯＮ／ＯＦＦを携帯電話等の携帯端末から遠隔操作で行うことができるため、ユーザは外出中であっても、電気機器の電源の切り忘れや鍵のかけ忘れ等による事故や盗難等を防止することができる。
【図面の簡単な説明】
【図１】本発明の一実施形態に係わるセキュリティ管理システムの構成例を説明するための図である。
【図２】本発明のセキュリティ管理装置の内部構成例を説明するためのブロック図である。
【図３】セキュリティ管理装置から通知された電気機器等の動作状態を携帯端末に表示させた画面例を示す図である。
【図４】本発明のセキュリティ管理装置の他の内部構成例を説明するためのブロック図である。
【図５】本発明の一実施形態に係わるセキュリティ管理システムの構成例を説明するための図である。
【図６】本発明のセキュリティ管理装置の他の内部構成例を説明するためのブロック図である。
【図７】本発明の一実施形態に係わるセキュリティ管理システムの構成例を説明するための図である。
【図８】本発明が適用されるセキュリティ管理方法の一例を説明するためのフロー図である。
【符号の説明】
１…ネットワーク、２，１２…ＧＷ、３…公衆回線網、４…携帯端末、１０…ユーザ宅、１１…セキュリティ管理装置、１１ａ…受信手段、１１ｂ…判定手段、１１ｃ…記憶手段、１１ｃ１…ＩＤ情報、１１ｄ…通知手段、１１ｅ…監視手段、１１ｆ…ネットワーク接続手段、１１ｇ…動作状態切替手段、１１ｈ…監視カメラモード切替手段、１１ｉ…画像データ送信手段、１３…エアコン、１４…照明器、１５…玄関扉、１３ａ，１４ａ，１５ａ，１６ａ…ネットワーク接続手段、１５ｂ，１６ｂ…電気錠、１６…東側窓、１７…ホームネットワーク、１８…監視カメラ、１９…センサ、２０…表示画面、２１…電気機器の現在の動作状態、２２…扉及び窓に設けられている電気錠の現在の動作状態、２３…ＯＫボタン、２４…切替指示ボタン、３０…管理会社、３１…サーバ装置、４０…関係機関。
【図１】
2005031984.tif 000003
【図２】
2005031984.tif 000004
【図３】
2005031984.tif 000005
【図４】
2005031984.tif 000006
【図５】
2005031984.tif 000007
【図６】
2005031984.tif 000008
【図７】
2005031984.tif 000009
【図８】
2005031984.tif 000010